(57)【特許請求の範囲】
【請求項１】
掃除機本体と、吸込具と、一端を前記掃除機本体の吸込口に接続し他端に前記吸込具を接続するホース等を備えた電気掃除機において、
軟質素材からなり凹凸部が交互に形成されたホースと、一端に中心部方向に突出した突出部を有し他端側に端部に向かって縮径するテーパ部が設けられて前記突出部を前記ホース外面側の凹部に嵌合して回転自在に連結すると共に、前記テーパ部を前記掃除機本体の吸込口に嵌合する硬質素材の本体側パイプとを備え、前記ホースを回転させるために必要な力を前記テーパ部の嵌合力よりも小さくしたことを特徴とする電気掃除機。
【請求項２】
掃除機本体と、吸込具と、一端を前記掃除機本体の吸込口に接続し他端に前記吸込具を接続するホース等を備えた電気掃除機において、
軟質素材からなり凹凸部が交互に形成されたホースと、一端に中心部方向に突出した突出部を有し他端側に端部に向かって拡径するテーパ部が設けられて前記突出部を前記ホース外面側の凹部に嵌合して回転自在に連結すると共に、前記テーパ部を前記吸込具と嵌合する硬質素材の吸込具側パイプとを備え、前記ホースを回転させるために必要な力を前記テーパ部の嵌合力よりも小さくしたことを特徴とする電気掃除機。
【請求項３】
ホースに形成した凹部の底部とパイプに設けた突出部の先端部とが接触しないように構成したことを特徴とする請求項１又は２記載の電気掃除機。
【請求項４】
ホースの端部に、凸部と同径又は該凸部より大きい径を有しパイプの内壁に近接又は当接する延長部を設けたことを特徴とする請求項１又は２記載の電気掃除機。
【請求項５】
パイプの端部近傍に複数の突出部を設け、該突出部をホースの複数の凹部に嵌合させるように構成したことを特徴とする請求項１又は２記載の電気掃除機。
【請求項６】
突出部をパイプの端部より内部側に設け該突出部をホースの凹部に嵌合させてホースをパイプの端部近傍で屈曲させる際に、前記突出部と連結するホースの凹部の幅が、該ホースの屈曲内側で狭まり前記パイプの突出部をくわえ込む以前に前記ホースの凸部が前記パイプの内壁に当接するような径関係に構成したことを特徴とする請求項１又は２記載の電気掃除機。
【請求項７】
パイプの突出部よりも内部側の内壁に該突出部よりも突出量が大きいストッパーを設け、ホースが連結された際に、該ホースの先端部が前記ストッパーに当接するようにしたことを特徴とする請求項１又は２記載の電気掃除機。
【請求項８】
切り欠きを有する突出部又は複数に分割された突出部を備えたことを特徴とする請求項１又は２記載の電気掃除機。
【発明の詳細な説明】
【０００１】
【発明の属する技術分野】
本発明は、電気掃除機に係り、より詳しくは、着脱自在に接続され自在に回転するホース部材を備えた電気掃除機に関するものである。
【０００２】
【従来の技術】
図１２は、例えば、実開昭５８ー１２７１９９号公報に開示された従来の電気掃除機の一例を示す斜視図である。この電気掃除機は、本体１の吸込口２にホース３の一端が接続され、ホース３の他端に吸込具６が連結されている。操作時においては、本体１を一方の手で持ち、吸込具６またはホース３の他端を他方の手で持ってホース３ごと動かして操作し、手の負担を軽減して、奥まった場所などの掃除を行う。
【０００３】
【発明が解決しようとする課題】
上記のように構成した電気掃除機によれば、本体１を持ち、ホース３を介して連結された吸込具６を動かすと、ホース３がねじれた場合にねじれが戻ろうとして回転方向の反発力が生じ、本体１の吸込口２に応力がかかり、ホース３が不意に吸込口２から抜け落ちることがあった。また、吸込具６を本体１と平行に装着しないと、使用時にホース３のねじれが発生して使い勝手が悪く、吸込具６の装着に気を使わねばならなかった。
【０００４】
本発明は上記のような課題を解決するためになされたもので、ホースが不意に吸込口から抜け落ちたりせず、使い勝手が良く、吸込具の装着に気を使うことがない電気掃除機を得ることを目的とする。
【０００５】
【課題を解決するための手段】
本発明は掃除機本体と、吸込具と、一端を掃除機本体の吸込口に接続し他端に吸込具を接続するホース等を備えた電気掃除であって、軟質素材からなり凹凸部が交互に形成されたホースと、一端に中心部方向に突出した突出部を有し他端側に端部に向かって縮径するテーパ部が設けられて突出部をホース外面側の凹部に嵌合して回転自在に連結すると共に、テーパ部を掃除機本体の吸込口に嵌合する硬質素材の本体側パイプとを備え、ホースを回転させるために必要な力をテーパ部の嵌合力よりも小さくした。
【０００６】
また、掃除機本体と、吸込具と、一端を掃除機本体の吸込口に接続し他端に吸込具を接続するホース等を備えた電気掃除機であって、軟質素材からなり凹凸部が交互に形成されたホースと、一端に中心部方向に突出した突出部を有し他端側に端部に向かって拡径するテーパ部が設けられて突出部をホース外面側の凹部に嵌合して回転自在に連結すると共に、テーパ部を吸込具と嵌合する硬質素材の吸込具側パイプとを備え、ホースを回転させるために必要な力をテーパ部の嵌合力よりも小さくした。
【０００７】
さらに、ホースに形成した凹部の底部とパイプに設けた突出部の先端部とが接触しないようにし構成した。
また、ホースの端部に、凸部と同径または凸部より大きい径を有しパイプの内壁に近接又は当接する延長部を設けた。
さらに、パイプの端部近傍に複数の突出部を設け、突出部をホースの複数の凹部に嵌合させるようにした。
【０００８】
また、突出部をパイプの端部より内部側に設け突出部をホースの凹部に嵌合させてホースをパイプの端部近傍で屈曲させる際に、突出部と連結するホースの凹部の幅が、ホースの屈曲内側で狭まりパイプの突出部をくわえ込む以前にホースの凸部がパイプの内壁に当接するような径関係に構成した。
【０００９】
さらに、パイプの突出部よりも内部側の内壁に突出部よりも突出量が大きいストッパーを設け、ホースが連結された際に、ホースの先端部がストッパーに当接するようにした。
また、切り欠きを有する突出部又は複数に分割された突出部を備えた。
【００１０】
【発明の実施の形態】
実施の形態１
図１は本発明の実施の形態１の斜視図、図２は図１の要部の縦断面図、図３は図２の説明図である。なお、実施の形態１では、電気掃除機が小型の携帯用ハンディクリーナーである場合について示すが、いかなる形態の電気掃除機であってもよい。図１において、１は電気掃除機の本体、２は本体１に設けた吸込口で、吸込口２にはホースや延長パイプあるいは吸込具等を接続することができる。３はホースで、その一端には吸込口２に接続するためのパイプ４が回転自在に連結され、他端には吸込具側吸込口５が設けられて吸込具６を着脱自在に接続している。
【００１１】
次に、図２によって、パイプ４と吸込口２近傍の構成を詳述する。ホース３は例えばブロー成形で作られた軟質素材の樹脂からなり、リング状に１周する形状の凸部７及び凹部８が設けられ、ホース３の中心軸に対してほぼ直交するようにして平行かつ凸部７と凹部８が交互に連続している。
【００１２】
パイプ４は硬質素材で形成された円筒形状をなし、その一端側はテーパー状をなして同じくテーパー状に形成された吸込口２に差し込んで取り付けられ、その他端側は同径状をなしてその先端部においてパイプ４の中心方向に向かい中心軸に対してほぼ直交するようにして突き出したフランジ状の突出部９が一体に形成されており、この突出部９がホース３の外面側の一端、例えばホース３の外面側の最も端部に設けられた凹部８ａにホース３を弾性変形させて嵌合して連結され、ホース３とパイプ４とが自在に回転できるようにしてある。なお、パイプ４の一端をテーパー状にして吸込口２に嵌合させるのでなく、ロック機構付のパイプによって抜け防止にしてもよい。
【００１３】
次に、ホース３とパイプ４の連結部の構成を図３により詳述する。まず、突出部９の内径ａとホース３の凸部７の外径ｂと凹部８の外径ｃとの関係を、ｃ≦ａ＜ｂとする。また、突出部９の幅ｄと凹部８の幅ｅとの関係を、ｄ≦ｅとする。このとき、吸込口２とパイプ４の嵌合力と、パイプ４とホース３の連結部における回転方向の摩擦力との関係は、嵌合力＞摩擦力とする。
【００１４】
上記のように構成した実施の形態１の作用を説明する。まず、電気掃除機を組み立てるには、本体１の吸込口２にホース３が接続されたパイプ４のテーパー部を差し込み、吸込具側吸込口５に吸込具６を装着して、ホース３を仲介とした延長風路を形成する。なお、装着に際して、吸込具６は吸込具側吸込口５に対してどの向きにも装着してもよい。
【００１５】
こうして、組み立てた電気掃除機の本体１を一方の手で持ち、吸込具６又は吸込具側吸込口５を他方の手で持って、ホース３ごと動かして操作し、掃除を行う。このとき、吸込具６ごとホース３をひねると、ホース３にひねりで生じた回転方向の力が生じ、パイプ４に伝達される。この力が、ホース３とパイプ４の連結部における回転方向の摩擦力を上回ったとき、ホース３はパイプ４との間で回転を生じる。このときに、吸込口２とパイプ４との間の嵌合力と、パイプ４とホース３の連結部における回転方向の摩擦力との関係は、嵌合力＞摩擦力であるから、ホース３のひねりによる回転力は、吸込口２とパイプ４の嵌合部に摩擦力以下の力しか伝わらない。
【００１６】
実施の形態１によれば、ホース３のひねりによってパイプ４が吸込口２から抜け落ちることがなく、また、吸込具６をどのように装着しても使い易い向きに回転するので、装着の際に位置合わせの必要なく、気を使わずに組み立てることができる。また、吸込具６がホース３ごと回転することで、使用中における手首への負担を軽減することができる。さらに、部品構成においても、部品数が２部品とシンプルであり、コストも低価格で、加工面においてもホース３が軟質であるため、パイプ４への圧入が可能となるばかりか、廃却の際にも材料分別廃棄に優れる。また、ホース３の凸部７、凹部８が摩擦によって磨耗しても、磨耗した部分を切り離して、磨耗していない凸部７及び凹部８を使用することで修理が可能となる。
【００１７】
実施の形態２
実施の形態１では、突出部９の内径ａと凸部７の外径ｂと凹部８の外径ｃとの関係を、ｃ≦ａ＜ｂとし、突出部９の幅ｄと凹部８の幅ｅとの関係を、ｄ≦ｅとしたが、実施の形態２では、図３に示すように、突出部９の内径ａと凸部７の外径ｂと凹部８の外径ｃとの関係を、ｃ＜ａ＜ｂとし、凸部７の外径ｂとパイプ４の内壁１０の内径ｆとの関係を、ｂ≦ｆとし、さらに、ｆ−ｂ＜ａ−ｃとした。
【００１８】
上記のように構成した実施の形態２によれば、ホース３を回転させたときに、ホース３とパイプ４の連結部において、ホース３の凸部７がパイプ４の内壁１０に先当たりするので、突出部９の先端部１１がホース３の凹部８の底部１２に接触しない。
実施の形態２によれば、硬質のパイプ４の突出部９の先端部１１が軟質のホース３に接触しないので、回転の際にホース３に対して磨耗による傷付けを生じることがなく、ホース３の破損を防止する。また、凹部８にホース３の削りかすが溜まって回転を妨げるということもない。
【００１９】
実施の形態３
図４は本発明の実施の形態３の要部の縦断面図である。なお、図２と同一部分には同じ符号を付し、説明を省略する。１３はホース３の先端部にホース３と一体に設けた延長部で、凸部７と同径又は凸部７よりも大きい径をなし、接続部においてパイプ４の内壁１０に近接又は当接する。そして、その幅ｇは凸部７の幅よりも大きく形成され、実施の形態１、２で示した場合よりも、内壁１０への接触面積が大きくなっている。
【００２０】
上記のように構成した実施の形態３においては、延長部１３の幅によって連結部における回転時の摩擦力が変化する。また、連結部のがたつきが延長部１３の幅によって変化し、さらに、延長部１３がない場合と比較すると、連結された凹部８周辺の強度が増す。
実施の形態３によれば、連結部における回転力を調整することができ、使い勝手のよい荷重を提供することができる。また、延長部１３の幅ｇを広げるほど、ホース３とパイプ４のがたつきが減り、安定した回転動作が得られる。さらに、ホース３をパイプ４から引き抜く方向へ力が加わっても、延長部１３が内壁１０に当接して変形を防ぐので、ホース３が抜けるのを防止する。
【００２１】
実施の形態４
図５は本発明の実施の形態４の縦断面図である。なお、図２と同一部分には同じ符号を付し、説明を省略する。９ａはパイプ４の先端部においてパイプ４の内側の中心方向に向かい中心軸にほぼ直交するようにして突き出た第１の突出部、９ｂは第１の突出部９ａよりもパイプ４の内部側に設けられ、第１の突出部９ａと同様にパイプ４の内側の中心方向に向かい中心軸にほぼ直交するように、すなわち第１の突出部９ａと平行になるように突き出た第２の突出部であり、これらはパイプ４と一体に設けられ、これらがホース３の一端部近傍、例えばホース３の最先端部側に設けられた第２の凹部８ｂ及びその内部側に隣接する第１の凹部８ａに嵌合して連結され、ホース３とパイプ４が自在に回転できるようにしてある。なお、第１、第２の突出部９ａ，９ｂを２つ設けたが、３つ又はそれ以上設けてもよい。
【００２２】
上記のように構成した実施の形態４によれば、パイプ４のテーパー側は本体１の吸込口２に取り付けられ、複数の連結部においては、ホース３のひねり動作に連動して、複数の凸部７と複数の凹部８が同時に回転する。このとき、連結する突出部９、凸部７及び凹部８の数が多いほど、接触面積が増えて接触抵抗が多くなる。
【００２３】
実施の形態４によれば、回転荷重を連結部の連結数によって調整できるので、使用者が任意に荷重を調整して使用することができ、個人差を補って使い勝手を向上させることができる。また、２個の突出部９が１個の凸部７を挟み込むので、ホース３が引張られても凸部７が変形しにくく、使用中にホース３がパイプ４から外れることがない。
【００２４】
実施の形態５
図６は本発明の実施の形態５の要部の縦断面図、図７は図６の作用説明図である。９はパイプ４の先端部よりも内側において内壁１０から突設された突出部で、パイプ４の内側の中心方向に向かい中心軸にほぼ直交するようにして突き出ており、この突出部９がホース３の他端部近傍の凹部８、例えばホース３の最も端部に設けた凹部８ｂに嵌合して連結され、ホース３とパイプ４が自在に回転できるようにしてある。
【００２５】
この場合、パイプ４の内壁１０の内径とホース３の凸部７の外径の隙間は、極小になるようにしてある。なお、ホース３は軟質素材からなり、ホース３が屈曲する際に屈曲内側と屈曲外側で伸縮自在であり、凹部８の幅は変化可能である。そして、ホース３をパイプ４の端部周辺で屈曲させる際に、パイプ４の突出部９と連結するホース３の凹部８ｂの幅が、ホース３の屈曲内側で狭まり、パイプ４の突出部９をくわえ込む以前に、ホース３の凸部７がパイプ４の内壁に当接するような径関係にしてある。
【００２６】
上記のように構成した実施の形態５によれば、パイプ４が本体１の吸込口２に固定された状態でホース３を屈曲させると、図７に示すように、パイプ４の先端部より、ホース３の屈曲内側の凹部８の幅が減少し、隣り合う凸部７が当接するに至り、屈曲外側の凹部８の幅は逆に広がり、隣り合う凸部７は逆に遠ざかる。凹部８の広がり幅は最大でも、底部１２の幅＋２×凹部８の深さ以下である。この屈曲状態では、屈曲外側から屈曲内側に向かって、凹部８の幅が最大値以下の幅から０まで変化する。また、ホース３を屈曲しても、パイプ４の内壁１０にホース３の凸部７が当接して、パイプ４内の凹部８の幅は変化しない。
【００２７】
実施の形態５によれば、突出部９と連結する凹部８ｂの幅は変化せず、ホース３を屈曲しても、連結部の回転方向への摩擦力は変化することはない。このため、ホース３を、ホース３の屈曲に影響を受けることなくスムーズに回転できる。
【００２８】
実施の形態６
図８は本発明の実施の形態６の要部の縦断面図である。なお、図２と同一部分には同じ符号を付し、説明を省略する。１４はパイプ４の突出部９の内部側において内壁１０に設けられたリング状のストッパーで、パイプ４の内側の中心方向に向かい中心軸にほぼ直交して突き出ており、内壁１０からの突出量が突出部９よりも大きくなっている。そして、パイプ４にホース３を連結する際に、ホース３の先端部がストッパー１４の面に当接して、それよりも奥にホース３が差し込まれないようにしてある。なお、このストッパー１４は、パイプ４の内壁１０に沿ってリング状に設けたが、複数に点在するようにしたものでもよく、いずれの場合であっても、ほぼ同時にホース３の先端部に当接するものであればよい。
【００２９】
上記のように構成した実施の形態６によれば、ホース３をパイプ４に連結する際に、ホース３の先端部がストッパー１４の面に当接する。
実施の形態８によれば、連結時にホース３の先端部がストッパー１４に当接するので、ホース３が誤って奥まで入ることがない。
【００３０】
実施の形態７
図９は本発明の実施の形態７の要部の正面図である。９はパイプ４の端部又は端部よりも内部側に設けた突出部で、内壁１０部に沿ってリング状に形成され、一定の間隔で切り欠き１５を設けたものである。この切り欠き１５はパイプ４の突出部９に設けたものであるが、突出部９を複数に分割して形成してもよい。
上記のように構成した実施の形態７によれば、ホース３の凹部８とパイプ４の突出部９との間に砂のような塵埃が侵入しても、ホース３の回転時に、突出部９の切り欠き１５からこの塵埃は除去される。
【００３１】
実施の形態７によれば、ホース３の回転時に突出部９の切り欠き１５から塵埃を除去できるので、回転を常時良好に保持できる。また、切り欠き１５の数を多くすれば、ホース３の回転角度が少なくても塵埃を除去できる。さらに、パイプ４の内壁１０とホース３の凸部７との距離が離れている程、塵埃が除去されることになる。
【００３２】
実施の形態８
図１０は本発明の実施の形態８の斜視図、図１１は図１０の要部の縦断面図である。図１０において、１は電気掃除機の本体、２は本体１に設けた吸込口である。３はホースで、その一端は本体１の吸込口２に接続され、他端にはパイプ４ａが回転自在に連結されて、その吸込具側吸込口５には吸込具６が装着してある。
【００３３】
より詳細に説明すると、図１１に示すように、本体１の吸込口２側に連結するホース３の一端は、端部方向に向けて外径が徐々に小さくなるテーパ状で、吸込口２に着脱自在に接続される。また、ホース３の他端には硬質のパイプ４ａが連結され、パイプ４ａの部分を把持して使用するようになっている。すなわち、パイプ４ａがホース３と連結する側の端部（またはその近傍）にはパイプ４ａと一体に突出部９ａが設けられており、パイプ４ａの内側の中心方向に向かい中心軸にほぼ直交するようにして突き出てホース３の凹部８に嵌合して連結され、他端には吸込具側吸込口５が設けられて、この吸込具側吸込口５方向に向かって徐々に内径が広がるテーパ状に形成され、このテーパー部によって吸込具６を吸込具側吸込口５に着脱自在に装着する。
【００３４】
上記のように構成した実施の形態７によれば、パイプ４ａはホース３との連結部で回動自在に接続され、吸込具６をどのような向きに装着してもパイプ４ａが回転して、ホース３に回転力を回転摩擦力以上には伝えない。
実施の形態８によれば、パイプ４ａが回転してもホース３に回転力を回転摩擦力以上には伝えないので、手にかかる負担を軽減して吸込具６をスムーズに操作ができると共に、ホース３が吸込口２から抜け落ちることもない。また、パイプ４ａは硬質の素材で形成しているので、パイプ４ａを持って操作し易い。
【００３５】
【発明の効果】
以上の説明から明らかなように、本発明は、掃除機本体と、吸込具と、一端を掃除機本体の吸込口に接続し他端に吸込具を接続するホース等を備えた電気掃除であって、軟質素材からなり凹凸部が交互に形成されたホースと、一端に中心部方向に突出した突出部を有し他端側に端部に向かって縮径するテーパ部が設けられて突出部をホース外面側の凹部に嵌合して回転自在に連結すると共に、テーパ部を掃除機本体の吸込口に嵌合する硬質素材の本体側パイプとを備え、ホースを回転させるために必要な力をテーパ部の嵌合力よりも小さくした。
【００３６】
このため、ホースのひねりにより、本体側パイプが吸込口から抜け落ちることがなく、また、吸込具をどのように装着しても使い易い向きに回転するので、装着の際に位置合わせする必要がなく、気を使わずに組み立てができる。また、吸込具がホースごと回転することで、使用中に手首への負担を軽減することができる。さらに、部品構成においても２部品とシンプルで、コストも低価格であり、加工面においてもホースが軟質なためパイプへの圧入が可能となるばかりか、廃却の際にも材料分別廃棄に優れる。また、凸部、凹部が摩擦により磨耗しても、ホースを切り離して磨耗していない凸部、凹部を使用することで、修理可能である。
【００３７】
また、掃除機本体と、吸込具と、一端を掃除機本体の吸込口に接続し他端に吸込具を接続するホース等を備えた電気掃除機であって、軟質素材からなり凹凸部が交互に形成されたホースと、一端に中心部方向に突出した突出部を有し他端側に端部に向かって拡径するテーパ部が設けられて突出部をホース外面側の凹部に嵌合して回転自在に連結すると共に、テーパ部を吸込具と嵌合する硬質素材の吸込具側パイプとを備え、ホースを回転させるために必要な力をテーパ部の嵌合力よりも小さくした。
【００３８】
このため、吸込具側パイプはホースとの連結部で回動可能で、吸込具をどんな向きに装着しても吸込具側パイプが回転し、ホースに回転力を回転摩擦力以上には伝えないので手にかかる負担を軽減し、スムーズな吸込具の操作ができると共に、ホースが吸込口から外れ落ちることもない。また、吸込具側パイプは硬質の素材で形成しているので、このパイプを持って操作しやすい。
【００３９】
さらに、ホースの形成した凹部の底部とパイプに設けた突出部の先端部とが接触しないように構成したので、回転の際に磨耗による傷付けを生じることがなくなり、ホースの破損を防止する。また、凹部にホースの削りかすが溜まって回転を妨げることもない。
【００４０】
また、ホースの端部に、凸部と同径または凸部より大きい径を有しパイプの内壁に近接又は当接する延長部を設けたので、回転力を調整することが可能となり、使い勝手のよい荷重を提供することができる。また、延長部を長くするほどホースとパイプのがたつきが減り、安定した回転動作が得られる。さらに、ホースをパイプから引き抜く方向へ力が加わっても、延長部が内壁に当接して変形を防ぐので、ホースが抜けるのを防止する。
【００４１】
さらに、パイプの端部近傍に複数の突出部を設け、この突出部をホースの複数の凹部に嵌合させるようにしたので、使用者が任意に荷重を調整して使用することができ、個人差を補い使い勝手を向上することができる。また、ホースが引張られても凸部が変形しにくく、使用中にホースがパイプから外れてしまうことがない。
【００４２】
また、突出部をパイプの端部より内部側に設けこの突出部をホースの凹部に嵌合させてホースをパイプの端部近傍で屈曲させる際に、突出部と連結するホースの凹部の幅が、ホースの屈曲内側で狭まりパイプの突出部をくわえ込む以前にホースの凸部がパイプの内壁に当接するような径関係に構成したので、ホースが屈曲に影響を受けることなくスムーズに回転できる。
【００４３】
さらに、パイプの突出部よりも内部側の内壁に突出部よりも突出量が大きいストッパーを設け、ホースが連結された際に、ホースの先端部がストッパーに当接するようにしたので、ホースをパイプに連結する際にホースの先端がストッパーに当接してホースが誤って奥まで入ってしまうことがない。
【００４４】
また、切り欠きを有する突出部又は複数に分割された突出部を備えたので、ホースの凹部とパイプの突出部との間に砂のような塵埃が混入しても、ホースの回転時に切り欠きから塵埃を除去でき、回転を常時良好に保持できる。また、切り欠きの数が多いほど、ホースの回転角度が少なくても除去できる。さらに、パイプの内壁とホースの凸部との距離が離れている程、塵埃の除去効果がある。
【図面の簡単な説明】
【図１】  本発明の実施の形態１及び２の斜視図である。
【図２】  図１の要部の縦断面図である。
【図３】  図２の説明図である。
【図４】  本発明の実施の形態３の要部の縦断面図である。
【図５】  本発明の実施の形態４の要部の縦断面図である。
【図６】  本発明の実施の形態５の要部の縦断面図である。
【図７】  図６の作用説明図である。
【図８】  本発明の実施の形態６の要部の縦断面図である。
【図９】  本発明の実施の実施の形態７の要部の正面図である。
【図１０】  本発明の実施の形態８の斜視図である。
【図１１】  図１０の要部の縦断面図である。
【図１２】  従来の電気掃除機の一例を示す斜視図である。
【符号の説明】
１  掃除機本体、２  吸込口、３  ホース、４  本体側パイプ、４ａ  吸込具側パイプ、６  吸込具、７  凸部、８  凹部、９，９ａ，９ｂ  突出部、１１  突出部の先端部、１２  凹部の底部、１３  延長部、１４  ストッパー、１５  切り欠き。
【図１】
0003809596.tif 000002
【図２】
0003809596.tif 000003
【図３】
0003809596.tif 000004
【図４】
0003809596.tif 000005
【図５】
0003809596.tif 000006
【図６】
0003809596.tif 000007
【図７】
0003809596.tif 000008
【図８】
0003809596.tif 000009
【図９】
0003809596.tif 000010
【図１０】
0003809596.tif 000011
【図１１】
0003809596.tif 000012
【図１２】
0003809596.tif 000013